(57)【要約】【課題】変圧器を金属製電柱に絶縁状態に支持することができる絶縁変台を提供する。【解決手段】変圧器２を絶縁状態に支持するために金属製電柱１に取り付けられる絶縁変台であって、金属製電柱１の両側に交差状に取り付けられる腕金３，３と、腕金３，３に碍子５，５を介して交差状に載架されて変圧器２を受載支持する横架腕金４，４と、変圧器２の中間部と金属製電柱１の間に間装される横架絶縁体６と、横架絶縁体６に対して変圧器２の中間部を固定するための固縛部材７と、を備えている。【選択図】  図１
2006340473.tif 000002
【特許請求の範囲】
【請求項１】
変圧器（２）を絶縁状態に支持するために金属製電柱（１）に取り付けられる絶縁変台（Ｚ）であって、
前記金属製電柱（１）に取り付けられた腕金（３）と、
前記変圧器を受載支持する腕金（４）と、
前記腕金（３）と前記腕金（４）との間に間装され、前記変圧器と前記金属製電柱とを絶縁する碍子（５）と、
を備えたことを特徴とする絶縁変台。
【請求項２】
前記腕金（３）は、前記金属製電柱（１）の両側に一対取り付けられ、該一対の腕金（３）（３）には、一対の前記腕金（４）（４）が碍子（５）（５）を介して交差状に載架されることを特徴とする請求項１に記載の絶縁変台。
【請求項３】
前記変圧器（２）の中間部と前記金属製電柱（１）の間には、横架絶縁体（６）が間装され、該横架絶縁体（６）は、固縛部材（７）によって、前記変圧器（２）の中間部に固定されることを特徴とする請求項１又は２に記載の絶縁変台。
【請求項４】
前記横架絶縁体（６）は、腕金（４１）と腕金（４２）の間に碍子（５）（５）を間装させてなり、かつ、前記腕金（４１）が締結部材（８）を介して前記金属製電柱（１）に固定される一方、前記腕金（４２）には、前記固縛部材（７）を介して前記変圧器（２）が固定されることを特徴とする請求項３に記載の絶縁変台。
【発明の詳細な説明】
【技術分野】
【０００１】
本発明は、金属製電柱に変圧器を絶縁状態に支持させるための絶縁変台に関する。
【背景技術】
【０００２】
従来から、電柱にはコンクリート製のものが用いられているが、搬入が困難な狭隘な場所や山間部等においては、鋼管柱や、コンクリート製の台柱と鋼管からなる複合柱等の継ぎ足し可能な複数の部材からなる金属製の電柱等が用いられることがある。
【０００３】
これらの電柱へ変圧器を取り付ける場合、例えば、図６に示すように、金属製電柱１に支持される円筒状等の変圧器２は、金属製電柱１の両側に直交する方向に取り付けられた一対の腕金３上に載置され、その中間部と金属製電柱１の間に必要に応じて木座を介在させて亜鉛メッキを施された鉄線７等により２回以上巻回されて縛着される。なお、図６中、符号９は高圧カットアウトである。
【０００４】
電気設備技術基準には、電路に施設する機械器具の鉄台及び金属製外箱には所定の接地工事を施すべきことが規定されている。上述のように、金属製電柱１上において変圧器２が電気的に接続された状態で載置される場合には、同技術基準により、高圧用又は特別高圧用ではＡ種接地工事（接地抵抗１０Ω以下）が義務付けられている。ちなみに、電柱に備えられた腕金や変台に電気機器を付設するための取付け金具が提案されている（例えば、特許文献１参照）
【０００５】
【特許文献１】特開平７−２６４７３８号公報
【発明の開示】
【発明が解決しようとする課題】
【０００６】
上述のように、変圧器２を載置する場合には、例えば、山間部等の岩盤の多い地域では、接地抵抗値１０Ω以下を確保するのが容易でないことが多く、そのために、通常の数倍の接地極を用いたり、通常よりも深く接地極を打ち込むような特殊工法を用いたり、変圧器２からかなり離れた場所で接地しなければならないことがあった。そのような場合には、多額の接地工事費を要していた。
【０００７】
上記電気設備技術基準によれば、変圧器２を絶縁状態に支持させれば、接地条件が大幅に緩和されるＢ種接地工事扱いでよいとされている。従って、絶縁措置を施した変台に変圧器２を支持させれば、接地工事費の大幅な低減化が可能になる。
【０００８】
本発明は、このような実情に鑑みてなされ、変圧器を金属製電柱に絶縁状態に支持することができる絶縁変台を提供することを目的とする。
【課題を解決するための手段】
【０００９】
（１）本発明の絶縁変台は、変圧器２を絶縁状態に支持するために金属製電柱１に取り付けられる絶縁変台Ｚであって、
前記金属製電柱１に取り付けられた腕金３と、
前記変圧器を受載支持する腕金４と、
前記腕金３と前記腕金４との間に間装され、前記変圧器と前記金属製電柱とを絶縁する碍子５と、
を備えたことを特徴とする。
【００１０】
このような構成によれば、変圧器２（の底部）を受載支持する腕金４，４が碍子５，５を介して腕金３，３に絶縁状態に支持されるため、変圧器２は金属製電柱１に絶縁状態に支持される。
【００１１】
（２）前記腕金３は、前記金属製電柱１の両側に一対取り付けられ、該一対の腕金３，３には、一対の前記腕金４，４が碍子５，５を介して交差状に載架されるのが好ましい。このようにすれば、変圧器２の支持状態が安定化する。
【００１２】
（３）記変圧器２の中間部と前記金属製電柱１の間には、横架絶縁体６が間装され、該横架絶縁体６は、固縛部材７によって、前記変圧器２の中間部に固定されるのが好ましい。このようにすれば、変圧器２を金属製電柱１に対して絶縁状態に固定することができる。
【００１３】
（４）前記横架絶縁体６は、腕金４１と腕金４２の間に碍子５，５を間装させてなり、かつ、前記腕金４１が締結部材８を介して前記金属製電柱１に固定される一方、前記腕金４２には、前記固縛部材７を介して前記変圧器２が固定されるのが好ましい。このようにすれば、腕金４，４に受載支持された変圧器２を金属製電柱１に対して絶縁状態で安定に固定することができる。
【発明の効果】
【００１４】
本発明の絶縁変台は、変圧器を受載支持する腕金が碍子を介して金属製電柱に取り付けられた腕金に絶縁状態に支持されるため、変圧器を金属製電柱に絶縁状態に支持することができる。従って、碍子を介することなく変圧器を腕金に直接載置していた場合よりも接地条件が大幅に緩和されるため、接地工事費の大幅な低減化が可能になる。
【発明を実施するための最良の形態】
【００１５】
以下に、本発明の実施の形態に係る絶縁変台について図面を参照しつつ詳細に説明する。
〔実施の形態１〕
本実施の形態は、図１乃至図３に示され、図１は金属製電柱１に取り付けた絶縁変台Ｚに変圧器２を支持させた状態の側面図、図２は平面図、図３は絶縁変台Ｚの正面図である。これらの図にて、符号３は腕金で、金属製電柱１の両側に交差状（直交状）に取り付けられる。４は変圧器２を受載支持する横架腕金（本発明の腕金）で、碍子５を介して腕金３，３に交差状に載架される。６は横架絶縁体で、変圧器２の中間部と金属製電柱１の間に間装される。７は固縛部材（例えば、４．０ｍｍφ程度の亜鉛メッキ鉄線等）で、変圧器２の中間部に巻回させて、その両端を横架絶縁体６に固定して変圧器２を横架絶縁体６に一体化する。
【００１６】
横架絶縁体６は、腕金４１と腕金４２の間に碍子５，５を間装させてなり、一方の腕金４１が、締結部材（例えば、スチール製のＵバンド等）８を介して金属製電柱１に固定され、他方の腕金４２には、固縛部材７を介して変圧器２が固定される。これにより、腕金３と絶縁された横架腕金４，４に受載支持された変圧器２の中間部が横架絶縁体６を介して金属製電柱１に対して固定されるため、変圧器２は金属製電柱１に絶縁状態で固定支持される。従って、碍子を介することなく変圧器を腕金に直接載置していた従来よりも接地条件が大幅に緩和されるため、接地工事費の大幅な低減化が可能になる。なお、碍子５は、周知のように、変圧器２を支持することのできる充分な耐荷重強度を備えている。
【００１７】
上述の腕金３は角鋼管等からなり、その基部はボルト締結等によって金属製電柱１に固定され、かつ、アームタイ３１によって充分な支持強度が得られるように補強され、その先端には、高圧カットアウト９が取付られている。この腕金３に４個の碍子５を介して交差状に載架される横架腕金４，４も角鋼管等からなり、碍子５は、ボルトｂの締結によって腕金３と横架腕金４に固定される。本実施の形態では、図２（ｂ）に示すように、変圧器２の底部を一対の横架腕金４に載置しているので、載置状態が安定化し、かつ変圧器２の底部の腐食状態や油漏れ等を地上から目視でチェックすることができる。
【００１８】
また、変圧器２の中間部を固定するための腕金４１，４２も角鋼管等からなり、同様に、ボルトｂの締結によって腕金４１，４２間に碍子５を固定する。そのボルトｂの締結の際に、一方の腕金４１に締結部材８を予め固定しておくことができる。従って、変圧器２を横架腕金４，４に搭載する前に、この締結部材８によって腕金４１，４２及び碍子５からなる横架絶縁体６を金属製電柱１に固定しておけば、変圧器２を位置決めした後、直ちにその中間部を亜鉛メッキ鉄線７等で横架絶縁体６に固定することができる。
【００１９】
その亜鉛メッキ鉄線７による固定方法は、例えば、他方の腕金４２の両側に形成した貫通孔ｈ（図３参照）に亜鉛メッキ鉄線７の先端を通して２，３回巻き付けた後折り曲げる等により容易に変圧器２の中間部を腕金４２に固定（縛着）できるため、従来のように、変圧器と金属製電柱との間に木座を介在させて縛着する方法よりも作業性が顕著に向上し、かつ、その固定状態も安定化する。
【００２０】
〔実施の形態２〕
本実施の形態は、図４及び図５に示され、この例では、２つの変圧器２を支持するように構成される。その基本的な構成は、前実施の形態と同様であるが、図５に示すように、腕金３，３上に載架される横架腕金４，４は、それぞれ角鋼管を二枚重ねにして支持強度を向上させている。碍子５は、前述したように、充分な耐荷重強度を備えているので、前実施の形態と同様に４個の碍子５で横架腕金４，４を支持する構成としている。変圧器２，２は、各独立に、亜鉛メッキ鉄線７等により、腕金４２に固定（縛着）するようにしている。このような構成によっても、前実施の形態と同様の作用効果を得ることができる。
【００２１】
なお、本発明は、実施の形態に限定されることなく、発明の要旨を逸脱しない限りにおいて、適宜、必要に応じて、設計変更や改良等を行うのは自由であり、例えば、変圧器２と金属製電柱１との間に間装される横架絶縁体６は、必ずしも、腕金４１，４２及び碍子５からなる構成でなくてもよく、木材や樹脂材等の絶縁性部材を代用してもよい。その場合には、絶縁性部材に縛着用の貫通孔を形成すると共に、締結部材８を予め固定しておけばよい。
【図面の簡単な説明】
【００２２】
【図１】本発明の実施の形態１に係る絶縁変台に変圧器を支持させた状態の側面図である。
【図２】（ａ）同平面図、（ｂ）同底面図である。
【図３】同絶縁変台の正面図である。
【図４】（ａ）同実施の形態２に係る絶縁変台に変圧器を支持させた状態の平面図、（ｂ）同底面図である。
【図５】同絶縁変台の正面図である。
【図６】従来の変圧器の支持構造の一例を示す説明図である。
【符号の説明】
【００２３】
１…金属製電柱、２…変圧器、３，４，４１，４２…腕金、５…碍子、６…横架絶縁体、７…固縛部材、８…締結部材、Ｚ…絶縁変台
【図１】
2006340473.tif 000003
【図２】
2006340473.tif 000004
【図３】
2006340473.tif 000005
【図４】
2006340473.tif 000006
【図５】
2006340473.tif 000007
【図６】
2006340473.tif 000008